(57)【要約】【課題】同じファイル名のフォーム画像を複数記憶できるようにし、使用できるフォーム画像をユーザ毎に異ならせてフォームオーバレイを行うことを可能にする。【解決手段】画像処理装置１は、フォーム画像を表す画像データと、画像データのファイル名と、フォーム画像の使用を許可されたユーザを表すユーザ識別子と、前記第１画像を使用するためのパスワードとを対応付けて記憶部１０５に記憶する。画像処理装置１は、文字データと、フォーム画像のファイル名と、ユーザ識別子と、パスワードとを受信すると、受信したファイル名、ユーザ識別子およびパスワードの組に対応付けて記憶されている画像データを記憶部１０５から読み出し、読み出した画像データが表すフォーム画像を生成する。そして、生成したフォーム画像と、受信した文字データが表す文字列の画像とを重ね合わせた画像を生成して出力する。【選択図】図２
2007304724.tif 000002
【特許請求の範囲】
【請求項１】
第１画像を表す第１画像データと、前記第１画像データのファイル名と、前記第１画像データの使用を許可されたユーザを表すユーザ識別子と、前記第１画像を使用するためのパスワードとを対応付けて記憶する記憶手段と、
第２画像を表す第２画像データと、前記ファイル名と、前記ユーザ識別子と、前記パスワードとを受信する受信手段と、
前記受信手段により受信されたファイル名に対応付けされており、且つ、前記受信手段により受信されたユーザ識別子に対応付けて記憶されているとともに、前記受信手段により受信されたパスワードに対応付けて記憶されている第１画像データに従って第１画像を生成する第１画像生成手段と、
前記受信手段により受信された第２画像データに従って第２画像を生成する第２画像生成手段と、
前記第１画像生成手段により生成された第１画像と、前記第２画像生成手段により生成された第２画像とを重ね合わせた第３画像を生成する重ね合わせ手段と、
前記重ね合わせ手段により生成された第３画像を出力する出力手段と
を有する画像処理装置。
【請求項２】
前記ユーザ識別子と前記パスワードとが入力される入力手段を有し、
前記重ね合わせ手段により生成された第３画像と、前記受信手段により受信されたユーザ識別子とパスワードとを対応付けて記憶し、
前記入力手段に入力されたユーザ識別子と前記第３画像に対応付けて記憶されたユーザ識別子とが一致するとともに、前記入力手段に入力されたパスワードと前記第３画像に対応付けて記憶されたパスワードとが一致した場合、前記出力手段が前記第３画像を出力すること
を特徴とする請求項１に記載の画像処理装置。
【請求項３】
前記受信手段により受信されたユーザ識別子と同じユーザ識別子が前記記憶手段に記憶されていない場合、前記受信手段により受信された第２画像データが表す画像を前記第２画像生成手段が生成し、前記出力手段が該第２画像を出力すること
を特徴とする請求項１に記載の画像処理装置。
【発明の詳細な説明】
【技術分野】
【０００１】
本発明は、フォームオーバレイの技術に関する。
【背景技術】
【０００２】
伝票やダイレクトメール等の文書を印刷する際には、所謂、フォームオーバレイと呼ばれる機能を用いて文書の印刷が行われている。フォームオーバレイ機能とは、文書中の罫線や枠線、企業ロゴ等の定型部分（フォーム）の画像情報と、文書に印刷する顧客の住所や氏名等の文字部分の文字情報とを別個に持ち、印刷を行う際には、これらの情報から定型部分のフォーム画像と文字部分の文字画像とを生成し、生成したフォーム画像に文字画像を重ね合わせて印刷する機能である。
【０００３】
このフォームオーバレイ機能を用いて文書を印刷する際には、例えば、特許文献１に開示されているように、フォーム画像と文字画像とを合成する装置にフォーム画像を予め記憶させ、合成した画像を出力する際には、記憶してあるフォーム画像のファイル名と、文字情報とを画像形成装置へ出力する。フォーム画像と文字画像とを合成する装置は、ファイル名と文字情報とを受信すると、受信したファイル名で特定されるフォーム画像を読み出し、読み出したフォーム画像に文字情報が表す文字列の画像を合成して出力する。
【特許文献１】特開２０００−８９９２５号公報
【発明の開示】
【発明が解決しようとする課題】
【０００４】
さて、特許文献１に開示されたシステムにおいては、ユーザが作成したフォームを記憶させておくことが可能となっており、複数のユーザが自信の作成したフォームを記憶させておくこともできる。しかしながら、複数のユーザがフォーム画像を記憶させることが可能になっていると、ユーザがフォーム画像を記憶させる際に、同じファイル名が使用されることが考えられる。このように同じファイル名が使用されてしまうと、画像処理装置は、いずれのフォーム画像を使用するのか特定できなくなり、フォームオーバレイを実行できなくなるという問題が生じてしまう。
【０００５】
本発明は、上述した背景の下になされたものであり、その目的は、同じファイル名のフォーム画像を複数記憶できるようにし、使用できるフォーム画像をユーザ毎に異ならせてフォームオーバレイを行うことを可能にする技術を提供することにある。
【課題を解決するための手段】
【０００６】
上述した課題を解決するために本発明は、第１画像を表す第１画像データと、前記第１画像データのファイル名と、前記第１画像データの使用を許可されたユーザを表すユーザ識別子と、前記第１画像を使用するためのパスワードとを対応付けて記憶する記憶手段と、第２画像を表す第２画像データと、前記ファイル名と、前記ユーザ識別子と、前記パスワードとを受信する受信手段と、前記受信手段により受信されたファイル名に対応付けされており、且つ、前記受信手段により受信されたユーザ識別子に対応付けて記憶されているとともに、前記受信手段により受信されたパスワードに対応付けて記憶されている第１画像データに従って第１画像を生成する第１画像生成手段と、前記受信手段により受信された第２画像データに従って第２画像を生成する第２画像生成手段と、前記第１画像生成手段により生成された第１画像と、前記第２画像生成手段により生成された第２画像とを重ね合わせた第３画像を生成する重ね合わせ手段と、前記重ね合わせ手段により生成された第３画像を出力する出力手段とを有する画像処理装置を提供する。
【発明の効果】
【０００７】
本発明によれば、同じファイル名のフォーム画像を複数記憶できるようにすることができ、使用できるフォーム画像をユーザ毎に異ならせてフォームオーバレイを行うことが可能となる。
【発明を実施するための最良の形態】
【０００８】
［実施形態の構成］
以下、図面を参照して本発明の実施形態について説明する。図１は、本実施形態に係わる画像処理装置１を有するシステムの構成を例示した図である。ＰＣ（Personal Computer）１０Ａ、１０Ｂは、文字列を表す文字データの作成・編集機能を実現するアプリケーションプログラムや、フォームオーバレイ機能により出力される文書中の定型部分（フォーム）となる図形・写真を表す画像データの作成・編集機能を実現するアプリケーションプログラムを記憶したパーソナルコンピュータである。これらのプログラムがＰＣ１０Ａ、１０Ｂにて実行されると、文字データの作成・編集機能や、画像データの作成・編集機能が実現し、ＰＣ１０Ａ、１０Ｂにおいて文字データや画像データを処理することが可能となる。
【０００９】
また、ＰＣ１０Ａ、１０Ｂは、画像データを画像処理装置１へ記憶させる機能や、文字データが表す文字列と、画像データが表す画像とを重ね合わせた画像の形成を画像処理装置１へ指示する機能を実現するアプリケーションプログラムを記憶している。このプログラムが実行されると、ＰＣ１０Ａ、１０Ｂは、ユーザにより指定された文字データや画像データを、通信ネットワーク２０を介して画像処理装置１へ送信し、送信した画像データを画像処理装置１へ記憶させたり、送信したデータが表す文字列と画像とを重ね合わせた画像の形成を画像処理装置１へ指示したりすること可能となる。
【００１０】
画像処理装置１は、複写機能や画像形成機能、ＦＡＸ機能等を備えた、所謂、複合機と呼ばれる装置である。図２は、本発明の実施形態に係る画像処理装置１の要部の構成を示したブロック図である。図２に示したように、画像処理装置１の各部は、バス１０１に接続されており、このバス１０１を介して各部間でデータの授受を行う。
【００１１】
画像入力部１０８は、文書を光学的に読み取るスキャナ機構や、文書をスキャナ機構に搬送するＡＤＦ（Auto Document Feeder）を具備している。ＡＤＦにセットされた文書は、スキャナ機構が具備するプラテンガラス上に一枚づつ搬送される。スキャナ機構は、ＡＤＦによってプラテンガラス上に搬送された文書に光を照射する。そして文書で反射した光をＣＣＤ（Charge Coupled Device）により読み取り、読み取った文書を表す画像データを生成する。この画像データは記憶部１０５に記憶される。
【００１２】
入力部１０６は、テンキーや矢印キー等、画像処理装置１を操作するための各種キーを備えている。ユーザがこれらのキーを操作することにより、画像処理装置１に対する各種指示の入力や画像処理装置１の各種設定が行われる。表示部１０７は、例えば、液晶ディスプレイ等の表示デバイスを有しており、ＣＰＵ１０２の制御の下、画像処理装置１を操作するためのメニュー画面や各種メッセージ等を表示する。
【００１３】
通信部１１０は、通信ネットワーク２０に接続されており、ＰＣ１０Ａ、１０Ｂと通信ネットワーク２０を介して通信を行う通信インターフェースとして機能する。通信部１１０は、通信ネットワーク２０を介して送信される画像データや文字データを受信する。
【００１４】
画像処理部１１１は、入力される画像データが表す画像に階調補正やスクリーン処理等の画像処理を施す。そして、画像処理が施された画像からＹ（Yellow），Ｍ（Magenta），Ｃ（Cyan），Ｋ（黒）各色の画像の画像データを生成して画像形成部１０９へ出力する。
【００１５】
オーバレイ部２００は、フォームオーバレイを行うものであり、供給される画像データが表すフォーム画像と、文字データが表す文字列とを重ね合わせた画像を生成し、生成した画像を表す画像データを画像処理部１１１へ出力する。
【００１６】
画像形成部１０９は、電子写真方式によって記録シートにトナー像を形成する画像形成エンジン（図示略）を具備している。この画像形成エンジンは中間転写方式を採用しており、Ｙ（Yellow），Ｍ（Magenta），Ｃ（Cyan），Ｋ（黒）の各色のトナー像を形成する画像形成ユニットを備えている。各画像形成ユニットは、入力される画像データに従って感光体上に静電潜像を形成した後、感光体上にトナーを付着させてＹＭＣＫの各色のトナー像を形成する。そして、このトナー像を中間転写ベルトに転写した後、中間転写ベルトに転写されたトナー像を用紙トレイから搬送される記録シートに転写する。そして、記録シートに転写されたトナー像に熱と圧力を加えて定着させた後、トナー像が形成された記録シートを画像処理装置１外へ排出する。
【００１７】
記憶部１０５はハードディスク装置を具備しており、画像入力部１０８で生成された画像データや通信部１１０で受信した各種データを記憶する。また、記憶部１０５は、フォーム管理テーブルＴＢ１を記憶している。図３は、フォーム管理テーブルＴＢ１のフォーマットを例示した図である。図３に例示したように、フォーム管理テーブルＴＢ１においては、フォーム画像を表す画像データを一意に識別する管理番号に対応付けて、この管理番号で特定される画像データと、この画像データのファイル名と、この画像データをＰＣ１０Ａ、１０Ｂから送信したユーザを識別するユーザ識別子と、この画像データが表すフォーム画像を利用する権利があることを識別するためのパスワードとが格納されている。
【００１８】
ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、ＣＰＵ１０２により画像処理装置１の各部が制御され、複写機能や画像形成機能、ＦＡＸ機能、フォームオーバレイ機能等が実現し、画像処理装置１は、所謂複合機として動作する。
【００１９】
［実施形態の動作］
次に本実施形態の動作について説明する。なお、以下の動作説明においては、ユーザＡが操作するＰＣ１０Ａには、図４（ａ）に例示したフォーム画像を表す画像データであってファイル名が「ＡＢＣ」である画像データＡが記憶されており、ユーザＢが操作するＰＣ１０Ｂには図４（ｂ）に例示したフォーム画像を表す画像データであってファイル名が「ＡＢＣ」である画像データＢが記憶されているものとする。
【００２０】
［フォーム画像を画像処理装置１に記憶させる時の動作］
まず、ユーザＡがＰＣ１０Ａを操作し、フォームオーバレイにより画像を形成するときに使用するフォーム画像の登録開始を指示すると、ＰＣ１０Ａにおいては、図５に例示したように、フォーム画像を表す画像データＡのファイル名と、ファイルを登録する者を一意に識別するユーザ識別子と、このフォーム画像を利用する権利があることを識別するためのパスワードとを入力するメニュー画面が表示される。ユーザがＰＣ１０Ａを操作し、フォーム画像を表す画像データＡのファイル名として「ＡＢＣ」を入力するとともに、ユーザ識別子「１２３４５」、パスワード「１２３」を入力した後、図５に示されている「ＯＫ」ボタンをクリックする操作を行うと、入力されたファイル名で特定される画像データＡと、画像データＡのファイル名と、ユーザ識別子と、パスワードおよびフォーム画像の登録を指示する登録指示コマンドがＰＣ１０Ａから通信ネットワーク２０を介して画像処理装置１へ送信される。
【００２１】
この登録指示コマンド、画像データＡ、画像データＡのファイル名、ユーザ識別子およびパスワードとが画像処理装置１にて受信されると、画像処理装置１は、受信した画像データＡを一意に識別する管理番号「１」を生成し（図６：ステップＳＡ１）、生成した管理番号と受信した画像データＡとを対応付けて図３に示したようにフォーム管理テーブルＴＢ１に格納する（ステップＳＡ２）。また、画像処理装置１は、生成した管理番号と、送信されたファイル名「ＡＢＣ」と、ユーザ識別子「１２３４５」およびパスワード「１２３」とを対応付けて、図３に示したようにフォーム管理テーブルＴＢ１に格納する（ステップＳＡ３）。
【００２２】
また、ユーザＢがＰＣ１０Ｂを操作し、フォームオーバレイにより画像を形成するときに使用するフォーム画像の登録開始を指示すると、ＰＣ１０Ｂにおいては、図５に例示したメニュー画面が表示される。ユーザがＰＣ１０Ｂを操作し、ＰＣ１０Ｂに記憶されている画像データＢのファイル名として「ＡＢＣ」を入力するとともに、ユーザ識別子「４５６７８」、パスワード「４５６」を入力した後、図５に示されている「ＯＫ」ボタンをクリックする操作を行うと、入力されたファイル名で特定される画像データＢと、画像データＢのファイル名と、ユーザ識別子と、パスワードおよびフォーム画像の登録を指示する登録指示コマンドがＰＣ１０Ｂから通信ネットワーク２０を介して画像処理装置１へ送信される。
【００２３】
この登録指示コマンド、画像データＢ、画像データＢのファイル名、ユーザ識別子およびパスワードとが画像処理装置１にて受信されると、画像処理装置１は、受信した画像データＢを一意に識別する管理番号「２」を生成し（ステップＳＡ１）、生成した管理番号と受信した画像データＢとを対応付けて図３に示したようにフォーム管理テーブルＴＢ１に格納する（ステップＳＡ２）。また、画像処理装置１は、生成した管理番号と、送信されたファイル名「ＡＢＣ」と、ユーザ識別子「４５６７８」およびパスワード「４５６」とを対応付けて、図３に示したようにフォーム管理テーブルＴＢ１に格納する（ステップＳＡ３）。
【００２４】
［フォームオーバレイを行う時の動作］
次にフォームオーバレイ機能を使用して画像形成を行うときの動作について説明する。まず、ユーザＡがＰＣ１０Ａを操作し、住所や氏名等の文字列を編集している状態において、文字列の印刷を指示する操作を行うと、ＰＣ１０Ａにおいては、図７に例示したように、印刷に関する各種項目を設定するメニュー画面が表示される。ここで、ユーザＡはフォームオーバレイ機能を使用して画像形成を行う場合には、ＰＣ１０Ａを操作し、図７に示した「フォームオーバレイを行う」という項目のチェックボックスをクリックしてフォームオーバレイ機能をＯＮにする。そして、使用するフォーム画像のファイル名「ＡＢＣ」と、ユーザ識別子「１２３４５」およびパスワード「１２３」とを入力した後、図７に示されている「ＯＫ」ボタンをクリックする操作を行うと、フォームオーバレイ機能を使用して画像を出力するように指示する出力指示コマンドと、編集されていた文字列を表す文字データと、入力されたファイル名、入力されたユーザ識別子およびパスワードが、通信ネットワーク２０を介して画像処理装置１へ送信される。
【００２５】
この出力指示コマンドと、文字データ、ファイル名、ユーザ識別子および文字データとが画像処理装置１の通信部１１０にて受信されると、画像処理装置１は、受信したファイル名「ＡＢＣ」を検索キーにして図３に示したフォーム管理テーブルＴＢ１のファイル名フィールドを検索する（図８：ステップＳＢ１）。ここで、受信したファイル名は「ＡＢＣ」であるので、管理番号「１」が格納されているレコードと、管理番号「２」が格納されているレコードが検索される。
次に画像処理装置１は、検索キーとしたファイル名と同じファイル名が格納されているレコードを見つけると（ステップＳＢ２；ＹＥＳ）、検索したレコードにおいて、受信したユーザ識別子と同じユーザ識別子が格納されているレコードを検索する（ステップＳＢ３）。ここで、受信したユーザ識別子は「１２３４５」であるので、管理番号「１」が格納されているレコードが検索される（ステップＳＢ３；ＹＥＳ）。
【００２６】
画像処理装置１は、受信したユーザ識別子と同じユーザ識別子が格納されているレコードを見つけると（ステップＳＢ４；ＹＥＳ）、検索したレコードに格納されているパスワードと、受信したパスワードとを比較して両者が一致しているか否かを判断する。ここで、管理番号「１」が格納されているレコードには、図３に示したようにパスワードとして「１２３」が対応付けられており、受信したパスワードは「１２３」であるため、画像処理装置１は、パスワードが一致していると判断する（ステップＳＢ５；ＹＥＳ）。画像処理装置１は、ステップＳＢ５でＹＥＳと判断すると、検索したユーザ識別子に対応付けて格納されている画像データＡを記憶部１０５から読み出す（ステップＳＢ６）。
【００２７】
次に、画像処理装置１は、この読み出した画像データＡと、受信した文字データとをオーバレイ部２００へ供給する（ステップＳＢ７）。オーバレイ部２００は、画像データＡと文字データとが供給されると、供給された画像データＡが表す画像（第１画像：図４（ａ））と、文字データが表す文字列の画像（第２画像）とを合成した画像を生成し、生成した画像を表す画像データを画像処理部１１１へ出力する。画像処理部１１１は、画像データが供給されると、供給された画像データが表す画像に階調補正やスクリーン処理等の画像処理を施し、画像処理を施した画像を表す画像データを画像形成部１０９へ出力する。
【００２８】
画像形成部１０９は画像データが入力されると、入力された画像データに従って感光体ドラム上にトナー像を形成する。そして、このトナー像を中間転写ベルトに転写した後、中間転写ベルトに転写されたトナー像を用紙トレイから搬送された記録シートに転写する。そして、記録シートに転写されたトナー像に熱と圧力を加えて定着させた後、トナー像が形成された記録シートを画像処理装置１外へ排出する。これにより、ユーザＡは、文字列と図５（ａ）に例示したフォーム画像とが合成された画像が形成された記録シートを得ることができる。
【００２９】
一方、ユーザＢが、ＰＣ１０Ｂを操作し、住所や氏名等の文字列を編集している状態において、文字列の印刷を指示する操作を行うと、ＰＣ１０Ｂにおいては、図７に例示したように、印刷に関する各種項目を設定するメニュー画面が表示される。ここで、ユーザＢはフォームオーバレイ機能を使用して画像形成を行う場合には、ＰＣ１０Ｂを操作し、図７に示した「フォームオーバレイを行う」という項目のチェックボックスをクリックしてフォームオーバレイ機能を「ＯＮ」にする。そして、使用するフォーム画像のファイル名「ＡＢＣ」と、ユーザ識別子「４５６７８」およびパスワード「４５６」とを入力した後、図７に示されている「ＯＫ」ボタンをクリックする操作を行うと、フォームオーバレイ機能を使用して画像を出力するように指示する出力指示コマンドと、編集されていた文字列を表す文字データと、入力されたファイル名、入力されたユーザ識別子およびパスワードが、通信ネットワーク２０を介して画像処理装置１へ送信される。
【００３０】
この出力指示コマンドと、文字データ、ファイル名、ユーザ識別子および文字データとが画像処理装置１の通信部１１０にて受信されると、画像処理装置１は、受信したファイル名「ＡＢＣ」を検索キーにして図３に示したフォーム管理テーブルＴＢ１のファイル名フィールドを検索する（図８：ステップＳＢ１）。ここで、受信したファイル名は「ＡＢＣ」であるので、管理番号「１」が格納されているレコードと、管理番号「２」が格納されているレコードが検索される。
次に画像処理装置１は、検索キーとしたファイル名と同じファイル名が格納されているレコードを見つけると（ステップＳＢ２；ＹＥＳ）、検索したレコードにおいて、受信したユーザ識別子と同じユーザ識別子が格納されているレコードを検索する（ステップＳＢ３）。ここで、受信したユーザ識別子は「４５６７８」であるので、管理番号「２」が格納されているレコードが検索される（ステップＳＢ３；ＹＥＳ）。
【００３１】
画像処理装置１は、受信したユーザ識別子と同じユーザ識別子が格納されているレコードを見つけると（ステップＳＢ４；ＹＥＳ）、検索したレコードに格納されているパスワードと、受信したパスワードとを比較して両者が一致しているか否かを判断する。ここで、管理番号「２」が格納されているレコードには、図３に示したようにパスワードとして「４５６」が対応付けられており、受信したパスワードは「４５６」であるため、画像処理装置１は、パスワードが一致していると判断する（ステップＳＢ５；ＹＥＳ）。画像処理装置１は、ステップＳＢ５でＹＥＳと判断すると、検索したユーザ識別子に対応付けて格納されている画像データＢを記憶部１０５から読み出す（ステップＳＢ６）。
【００３２】
次に画像処理装置１は、この読み出した画像データＢと、受信した文字データとをオーバレイ部２００へ供給する（ステップＳＢ７）。オーバレイ部２００は、画像データと文字データとが供給されると、供給された画像データが表す画像（図４（ｂ））と、文字データが表す文字列の画像とを合成した画像を生成し、生成した画像を表す画像データを画像処理部１１１へ出力する。画像処理部１１１は、画像データが供給されると、供給された画像データが表す画像に階調補正やスクリーン処理等の画像処理を施し、画像処理を施した画像を表す画像データを画像形成部１０９へ出力する。
【００３３】
画像形成部１０９は画像データが入力されると、入力された画像データに従って感光体ドラム上にトナー像を形成する。そして、このトナー像を中間転写ベルトに転写した後、中間転写ベルトに転写されたトナー像を用紙トレイから搬送された記録シートに転写する。そして、記録シートに転写されたトナー像に熱と圧力を加えて定着させた後、トナー像が形成された記録シートを画像処理装置１外へ排出する。これにより、ユーザＢは、文字列と図４（ｂ）に例示したフォーム画像とが合成された画像が形成された記録シートを得ることができる。
【００３４】
以上説明したように本実施形態によれば、同じファイル名の画像データを複数記憶しておくことができ、また、記憶された画像データの中から、ユーザが登録した画像データを選択してフォームオーバレイを行うことができる。
【００３５】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３６】
上述した実施形態においては、文字列とフォーム画像とを合成した画像を表す画像データと、文字データを受信した時に同時に受信したユーザ識別子とパスワードとを対応付けて記憶するようにしてもよい。そして、ユーザが、画像処理装置１においてユーザ識別子とパスワードとが入力された場合、入力されたユーザ識別子とパスワードとの組に対応付けて記憶されている画像データに従って、記録シートに画像を形成するようにしてもよい。この態様によれば、ユーザ識別子とパスワードとが入力されないと、記録シートへの画像形成が行われないので、他人が画像が形成された記録シートを持ち去るのを防ぐことができる。
【００３７】
上述した実施形態においては、ステップＳＢ２でＮＯと判断された場合、文字データのみの画像を形成して出力するようにしてもよい。
【００３８】
また、上述した実施形態においては、図９に示したように、一つのフォーム画像に複数のユーザ識別子を対応付けてフォーム管理テーブルＴＢ１に格納するようにしてもよい。この態様によれば、例えば、企業等において一般社員が使用するフォーム画像と、役職者が使用するフォーム画像とを分けることができるようになる。
なお、この場合、フォーム画像と文字列とを合成するときに、フォーム画像を文字列上に重ねるようにすれば、例えば、一般社員ようのフォームにおいては情報が隠され、役職者のフォーム画像においては情報が見えるようにするといったことも可能となる。
また、ＰＣ１０Ａ、ＰＣ１０Ｂから画像処理装置１へ各種データを送信するときに使用されるページ記述言語の種類をフォーム管理テーブルＴＢ１において管理番号に対応付けて格納し、文字データを受信したときのページ記述言語がフォーム管理テーブルＴＢ１に格納されているページ記述言語の種類に一致した場合に画像形成を行うようにしてもよい。
【図面の簡単な説明】
【００３９】
【図１】本発明の実施形態に係るシステムの全体構成を示した図である。
【図２】本実施形態に係る画像処理装置１のハードウェア構成を示したブロック図である。
【図３】フォーム管理テーブルＴＢ１のフォーマットを例示した図である。
【図４】フォーム画像を例示した図である。
【図５】フォーム画像を記録させるときに表示されるメニュー画面を例示した図である。
【図６】画像処理装置１がフォーム画像の画像データを記憶するときの処理の流れを例示したフローチャートである。
【図７】画像の印刷を行うときに表示されるメニュー画面を例示した図である。
【図８】画像処理装置１がフォームオーバレイを行うときの処理の流れを例示したフローチャートである。
【図９】本実施形態の変形例に係るフォーム管理テーブルＴＢ１のフォーマットを例示した図である。
【符号の説明】
【００４０】
１・・・画像処理装置、１０Ａ，１０Ｂ・・・ＰＣ、２０・・・通信ネットワーク、１０１・・・バス、１０２・・・ＣＰＵ、１０３・・・ＲＯＭ、１０４・・・ＲＡＭ、１０５・・・記憶部、１０６・・・入力部、１０７・・・表示部、１０８・・・画像入力部、１０９・・・画像形成部、１１０・・・通信部、１１１・・・画像処理部、２００・・・オーバレイ部
【図１】
2007304724.tif 000003
【図２】
2007304724.tif 000004
【図３】
2007304724.tif 000005
【図４】
2007304724.tif 000006
【図５】
2007304724.tif 000007
【図６】
2007304724.tif 000008
【図７】
2007304724.tif 000009
【図８】
2007304724.tif 000010
【図９】
2007304724.tif 000011